(57)【特許請求の範囲】
【請求項１】
上面板と下面板と一側面板と他側面板で矩形断面中空状で、前記上面板と下面板に相互に嵌合する一対の突起と一対の嵌合片を有したアルミ押出形材を所定長さに切断した中空本体と、この中空本体の長手方向両端面に取付けた端板と、前記一側面板、他側面板、一対の端板に取付けた複数の装飾体で形成した標準ブロックと、前記標準ブロックにポストを取付けたポスト付ブロックと、前記標準ブロックにヒジツボを取付けたヒジツボ付ブロックと、前記標準ブロックにポストとヒジツボを取付けたポスト・ヒジツボ付ブロックを備え、
前記各ブロックのいくつかを選択して重ね合せ連結した門柱。
【発明の詳細な説明】
【０００１】
【発明の属する技術分野】
本発明は、門柱に関する。
【０００２】
【従来の技術】
設置現場に型枠を組んでコンクリートを流し込んで設置する現場打ちタイプの門柱。
工場等で所定形状に製作され、設置現場まで運搬して設置する門柱。
【０００３】
【発明が解決しようとする課題】
現場打ちタイプの門柱は型枠組みするために熟練した作業者が必要である。
工場製作の門柱は高さの異なる種々の門柱、ポスト付き門柱、ヒジツボ付き門柱などの種々の門柱を製作準備するので、製作コストが高い、広い保管場所が必要となる。
【０００４】
そこで、本発明は前述の課題を解決できるようにした門柱を提供することを目的とする。
【０００５】
【課題を解決するための手段】
本発明は、上面板と下面板と一側面板と他側面板で矩形断面中空状で、前記上面板と下面板に相互に嵌合する一対の突起と一対の嵌合片を有したアルミ押出形材を所定長さに切断した中空本体と、この中空本体の長手方向両端面に取付けた端板と、前記一側面板、他側面板、一対の端板に取付けた複数の装飾材で形成した標準ブロックと、前記標準ブロックにポストを取付けたポスト付ブロックと、前記標準ブロックにヒジツボを取付けたヒジツボ付ブロックと、前記標準ブロックにポストとヒジツボを取付けたポスト・ヒジツボ付ブロックを備え、
前記各ブロックのいくつかを選択して重ね合せ連結した門柱である。
【０００６】
【作  用】
本発明によれば、標準ブロックとポスト付ブロックを重ね合せ連結することでポスト付門柱を組立できる。
標準ブロックとヒジツボ付ブロックを重ね合せ連結することでヒジツボ付門柱を組立できる。
標準ブロックとポスト・ヒジツボ付ブロックとヒジツボ付ブロックを重ね合せ連結することでポスト・ヒジツボ付門柱を組立できる。
標準ブロックのみを重ね合せ連結すれば標準門柱を組立できる。
重ね合せる標準ブロックの数を増減することで高さの異なる門柱を組立できる。
したがって、あらかじめ工場等で製作した４種類のブロックを設置現場まで運搬して重ね合せ連結することで、熟練を要しない作業者が４種類の門柱を簡単に設置できると共に、高さの異なる門柱を設置できる。
【０００７】
また、一対の突起と一対の嵌合片を嵌合することで複数のブロックを位置決めして重ね合わせできる。
【０００８】
また、標準ブロックはアルミ押出形材を所定の長さに切断した中空本体に、端板、装飾体を取付けた形状で軽量であるから、他のブロックも軽量で、ブロックの運搬、重ね合わせ作業がやり易く、施工が容易である。
また、アルミ押出形材の切断長さを調節することにより左右幅の異なる門柱に対応可能である。
【００１１】
【発明の実施の形態】
図１に示すように、標準ブロック１、ポスト付ブロック２、ヒジツボ付ブロック３、ポスト・ヒジツボ付ブロック４の４種類のブロックを備えている。
前記標準ブロック１は図２に示すように、上面板１０と下面板１１と一側面板１２と他側面板１３で矩形断面中空形状で、上面板１０に一対の突起１４が一体的に設けられ、かつ下面板１１に一対の接地片１５と一対の嵌合片１６が一体的に設けられた断面形状のアルミ押出形材を所定長さに切断した中空本体１７と、この中空本体１７の長手方向両端面（切断面）にビス１８で取付けた端板１９と、一側面板１２、他側面板１３、一対の端板１９に接着剤で接着した複数の化粧パネル等の装飾体２０で形成してある。
前記上面板１０の長手方向両端寄りと下面板１１の長手方向両端寄りには一対の孔２１が相対向してそれぞれ形成してある。
この標準ブロック１は、一対の突起１４と一対の嵌合片１６を嵌合することで位置決めして重ね合せできる。
【００１２】
前述のように、アルミ押出形材を所定長さに切断して中空本体１７としているので、その切断長さを調節することにより左右幅の異なる門柱に容易に対応可能である。
前記中空本体１７の一側面板１２と他側面板１３には細かい凹凸が形成してあるので、装飾体２０を接着剤で強固に接着でき、その装飾体２０が自重が下がることがない。
前記接着剤は中空本体１７、装飾体２０の溶融温度よりも低い温度、例えば２００℃で溶けるので、標準ブロック１を加熱することで接着剤が溶け、中空本体１７と装飾体２０が分離するから、標準ブロック１のリサイクルが可能である。
【００１３】
前記ポスト付ブロック２は図１に示すように、前述の標準ブロック１にポスト２２を一側面と他側面に貫通して取付けた形状で、このポスト付ブロック２と前記標準ブロック１は一対の突起１４と一対の嵌合片１６を嵌合することで位置決めして重ね合せできる。
【００１４】
前記ヒジツボ付ブロック３は図１に示すように、前述の標準ブロック１にヒジツボ２３を取付けた形状で、このヒジツボ付ブロック３は標準ブロック１、ポスト付ブロック２と一対の突起１４と一対の嵌合片１６を嵌合することで位置決めして重ね合せできる。
【００１５】
前記ポスト・ヒジツボ付ブロック４は図１に示すように、前述の標準ブロック１にポスト２２を一側面と他側面に貫通して取付けると共に、ヒジツボ２３を取付けた形状で、このポスト・ヒジツボ付ブロック４と前記標準ブロック１、ポスト付ブロック２、ヒジツボ付ブロック３は一対の突起１４と一対の嵌合片１６を嵌合することで位置決めして重ね合せできる。
【００１６】
図３に示すように、門柱設置基盤（基礎コンクリート）３０に一対の支柱３１を、前記中空本体１７の一対の孔２１と同一間隔で立設する。標準ブロック１、ヒジツボ付ブロック３、３つの標準ブロック１、ポスト・ヒジツボ付ブロック４、標準ブロック１を、その孔２１を支柱３１に挿通しながら順次重ね合せ、最上部の標準ブロック１に笠木３２を取付けることでヒジツボ２３とポスト２２を備えた門柱を組立できる。
【００１７】
組立てた状態の具体形状を図４と図５に基づいて説明する。
図４に示すように、各ブロックの一対の突起１４と一対の嵌合片１６がそれぞれ嵌合し、上のブロックの一対の接地片１５と一対の嵌合片１６が下のブロックの上面板１０に接する。これにより上のブロックの下面板１１と下のブロックの上面板１０との間に隙間を置いて位置決めして重ね合せられる。
図５に示すように、前記支柱３１は中空本体１７の孔２１よりも小さな矩形断面中空形状で、各ブロックと支柱３１が連結金具３３で固着される。
前記連結金具３３は横片３４と縦片３５でＬ字形状で、その横片３４が下のブロックの上面板１０にビス３６で固着されると共に、縦片３５がビス３７で支柱３１に固着される。
なお、横片３４、縦片３５のビス挿通孔は長孔３８で、位置調整できるようにしてある。
【００１８】
前記笠木３２は図４に示すように、上面板３９と両側面板４０で下向コ字形状で、上面板３９の下面に一対の嵌合片４１を一体的に備えたアルミ押出形材を所定長さに切断したものである。
前記笠木３２の一対の嵌合片４１が最上部の標準ブロック１の一対の突起１４に嵌合して笠木３２は位置決めして取付けられ、最上部の連結金具３３にビス４２で固着される。
つまり、最上部の連結金具３３は横片３４と縦片３５と上の横片４３でコ字形状で、その上の横片４３にビス４２をねじ込んで固着される。
【００１９】
図３に示すように笠木３２に門燈４４が取付けてある。この門燈４４の電気配線、ポスト２２のインターホーン用の電気配線は支柱３１と孔２１との間の隙間を通して配設される。
【００２０】
前記ポスト２２は図４と図５に示すように一側面板１２と他側面板１３を貫通して取付けられる。
前記ヒジツボ２３は図５に示すように他側板１３に、裏板４５にねじ合したボルト４６で取付けられる。
【００２１】
図６に示すように、複数の標準ブロック１、ポスト付ブロック２、標準ブロック１を前述と同様に順次重ね合せて連結し、最上部の標準ブロック１に笠木３２を前述と同様に取付けることで、ポスト付門柱を組立できる。
【００２２】
図７に示すように、標準ブロック１、ヒジツボ付ブロック３、複数の標準ブロック１、ヒジツボ付ブロック３、標準ブロック１を前述と同様に順次重ね合せて連結し、最上部の標準ブロック１に笠木３２を前述と同様に取付けることで、ヒジツボ付ブロックを組立できる。
【００２３】
図８に示すように、複数の標準ブロック１を前述と同様に順次重ね合せて連結し、最上部の標準ブロック１に笠木３２を取付けることで、標準門柱を組立できる。
【００２４】
このように４種類のブロックを製作準備し、それらを適宜重ね合せて連結することで４種類の門柱を組立できる。
また、各ブロックはアルミ押出形材を所定長さに切断した中空本体１７に端板１９、装飾体２０を取付けた形状で軽量であるので、それらのブロックの運搬、重ね合せ作業がやり易い。
また、標準ブロック１の数を増減することで高さの異なる門柱を組立できる。
【００２５】
図９に示すように、標準ブロック１、ポスト付ブロック２、ヒジツボ付ブロック３、ポスト・ヒジツボ付ブロック４の長手方向一端部が端板１９のみとする。前述の標準ブロック１と同一断面形状で、平面Ｌ字形状となっていると共に、長手方向一端部が端板１９のみのコーナー用ブロック５を準備する。
【００２６】
前述のコーナー用ブロック５は前述の各ブロックと同様に重ね合せ連結できるので、前述の図３、図６、図７、図８に示す各種門柱の各ブロックの他端面にコーナー用ブロック５を連結して平面Ｌ字形状の門柱を組立てる。
例えば、図１０に示すようにポスト２２とヒジツボ２３を備え、平面Ｌ字形状の門柱を組立てる。
この場合には、図１１に示すように各ブロックの上面板１０とコーナー用ブロック５の上面１０を連結板４７で連結すると共に、端板１９の合せ面にシール材４８を設けて合せ面の水密、光洩れ防止する。
【００３０】
【発明の効果】
請求項１に係る発明によれば、標準ブロックとポスト付ブロックを重ね合せ連結することでポスト付門柱を組立できる。
標準ブロックとヒジツボ付ブロックを重ね合せ連結することでヒジツボ付門柱を組立できる。
標準ブロックとポスト・ヒジツボ付ブロックとヒジツボ付ブロックを重ね合せ連結することでポスト・ヒジツボ付門柱を組立できる。
標準ブロックのみを重ね合せ連結すれば標準門柱を組立できる。
重ね合せる標準ブロックの数を増減することで高さの異なる門柱を組立できる。
したがって、あらかじめ工場等で製作した４種類のブロックを設置現場まで運搬して重ね合せ連結することで、熟練を要しない作業者が４種類の門柱を簡単に設置できると共に、高さの異なる門柱を設置できる。
【００３１】
また、一対の突起と一対の嵌合片を嵌合することで複数のブロックを位置決めして重ね合わせできる。
【００３２】
また、標準ブロックはアルミ押出形材を所定の長さに切断した中空本体に、端板、装飾体を取付けた形状で軽量であるから、他のブロックも軽量で、ブロックの運搬、重ね合わせ作業がやり易く、施工が容易である。
また、アルミ押出形材の切断長さを調節することにより左右幅の異なる門柱に対応可能である。
【図面の簡単な説明】
【図１】本発明の第１の実施の形態の各種ブロックの斜視図である。
【図２】標準ブロックの分解斜視図である。
【図３】ポスト・ヒジツボ付門柱の正面図である。
【図４】図３の縦断面図である。
【図５】図３の横断面図である。
【図６】ポスト付門柱の正面図である。
【図７】ヒジツボ付門柱の正面図である。
【図８】標準門柱の正面図である。
【図９】本発明の第２の実施の形態の各種ブロックの斜視図である。
【図１０】ポスト・ヒジツボ付門柱の正面図である。
【図１１】図１０の横断面図である。
【符号の説明】
１…標準ブロック
２…ポスト付ブロック
３…ヒジツボ付ブロック
４…ポスト・ヒジツボ付ブロック
５…コーナー用ブロック
１７…中空本体
２０…装飾体
３１…支柱
３２…笠木
５４…中空本体
５５…装飾体
【図１】
0003603260.tif 000002
【図２】
0003603260.tif 000003
【図３】
0003603260.tif 000004
【図４】
0003603260.tif 000005
【図５】
0003603260.tif 000006
【図６】
0003603260.tif 000007
【図７】
0003603260.tif 000008
【図８】
0003603260.tif 000009
【図９】
0003603260.tif 000010
【図１０】
0003603260.tif 000011
【図１１】
0003603260.tif 000012